(57)【要約】【課題】１本の棒状端子と複数の電線各々との間にヒューズを接続することが必要である場合に、ヒューズの取り付けに要する工数を低減できるとともに、部品の種類を少なくしつつ電線の数の違いに適応することができること。【解決手段】ヒューズ１は、二次側端子部２０及び溶断部３０を内包するヒューズ側コネクタ４０を備える。ヒューズ１の一次側端子部１０は、基部１１と複数の傾斜壁部１２とを有する。基部１１は、中央に棒状端子が通される貫通孔１１ｈが形成された正多角形の平板状の部分である。傾斜壁部１２各々は、基部１１の外縁１１１各々から斜め下方外側に張り出して形成された平板状の部分である。複数のヒューズ１各々における一次側端子部１０は、基部１１の外縁１１１が重なる状態で異なる向きで重ねられる。上下に隣接する２つの一次側端子部１１どうしは面接触し、傾斜側壁部１２は、一次側端子部１０の回転を制限する。【選択図】図３
2013089553.tif 000002
【特許請求の範囲】
【請求項１】
起立した棒状端子が通される貫通孔が形成され、前記棒状端子に固定される板状の導体である第一端子部と、
電線と電気的に接続される導体である第二端子部と、
前記第一端子部の外縁の一部から張り出した導体であり、両端が前記第一端子部及び第二端子部の各々に繋がった溶断部と、
前記第二端子部及び前記溶断部を内包する絶縁体からなり、前記電線の端部に設けられた接続端子部と嵌め合い構造により接続されるコネクタと、を有するヒューズであって、
前記第一端子部は、
正多角形の輪郭を形成し、中央に前記貫通孔が形成された平板状の基部と、
前記基部の外縁から下方に張り出して形成され、複数の当該ヒューズ各々における前記第一端子部が前記基部の外縁が重なる状態で異なる向きで重ねられたときに、上下に隣接する２つの前記第一端子部どうしが前記貫通孔を中心に相対的に回転することを制限する回転規制部と、を有し、
さらに、前記第一端子部は、複数の前記第一端子部が前記基部の外縁が重なる状態で異なる向きで重ねられたときに、上下に隣接する２つの前記第一端子部どうしが面接触する形状で形成されていることを特徴とするヒューズ。
【請求項２】
前記第一端子部の前記回転規制部は、前記基部における前記複数の直線状の外縁各々に連なり、前記複数の直線状の外縁各々から斜め下方外側へ張り出した平板状の複数の傾斜壁部であり、
前記第一端子部は、前記基部の外縁が重なる状態で異なる向きで重ねられたときに、上下に隣接する２つの前記第一端子部における少なくとも複数の前記傾斜壁部どうしが面接触する形状で形成されている、請求項１に記載のヒューズ。
【請求項３】
端部に接続端子部が設けられた電線と、該電線の前記接続端子部と接続されたヒューズと、を備えるワイヤハーネスであって、
前記ヒューズは、
起立した棒状端子が通される貫通孔が形成され、前記棒状端子に固定される板状の導体である第一端子部と、
前記電線と電気的に接続される導体である第二端子部と、
前記第一端子部の外縁の一部から張り出した導体であり、両端が前記第一端子部及び第二端子部の各々に繋がった溶断部と、
前記第二端子部及び前記溶断部を内包する絶縁体からなり、前記電線の前記接続端子部と嵌め合い構造により接続されたコネクタであるコネクタと、を有し、
前記ヒューズの前記第一端子部は、
正多角形の輪郭を形成し、中央に前記貫通孔が形成された平板状の基部と、
前記基部の外縁から下方に張り出して形成され、複数の前記ヒューズ各々における前記第一端子部が前記基部の外縁が重なる状態で異なる向きで重ねられたときに、上下に隣接する２つの前記第一端子部どうしが前記貫通孔を中心に相対的に回転することを制限する回転規制部と、を有し、
さらに、前記第一端子部は、複数の前記第一端子部が前記基部の外縁が重なる状態で異なる向きで重ねられたときに、上下に隣接する２つの前記第一端子部どうしが面接触する形状で形成されていることを特徴とするワイヤハーネス。
【発明の詳細な説明】
【技術分野】
【０００１】
本発明は、車両等で用いられるヒューズ及びヒューズが接続された電線を備えるワイヤハーネスに関する。
【背景技術】
【０００２】
自動車に代表される車両で用いられるヒューズは、バッテリからモータなどの負荷へ至る電流経路の途中に設けられる。例えば、ヒューズが、起立した棒状端子であるバッテリの正極端子と、モータなどの負荷と電気的に接続された電線との間に接続される場合がある。棒状端子は、ネジ溝が形成された棒状の端子である。
【０００３】
起立した棒状端子と電線との間に接続されるヒューズは、棒状端子が貫通する貫通孔が形成された導体である一次側端子部と、電線の端部に接続される導体である二次側端子部と、両端が一次側端子部及び二次側端子部に繋がった導体である溶断部とを備える。なお、一次側端子部は、貫通孔に貫通した棒状端子に締め付けられたナットによって棒状端子に固定される。
【０００４】
また、ヒューズにおける、電線と接続された二次側端子部及び溶断部は、通常、絶縁材料からなる保護カバーによって覆われる。
【０００５】
また、車両においては、複数のヒューズが、バッテリなどの電源における１つの正極端子と、負荷の系統ごとに設けられた複数の電線各々との間に接続される場合がある。この場合、通常、１つの正極端子と複数のヒューズ各々の一次側端子部とを中継するバスバーが設けられる。この場合、複数のヒューズが、一連のバスバーにおける複数の部位に対してボルトによって固定される。
【０００６】
一方、特許文献１には、１つの正極端子と複数の電線との間に接続される多連ヒューズが示されている。特許文献１及び特許文献２に示される多連ヒューズは、１つの正極端子（棒状端子）に接続される一次側端子部と、その一次側端子部に対して並列に繋がった複数の溶断部と、それら溶断部各々と繋がった複数の二次側端子部とを備える。
【０００７】
即ち、特許文献１に示される多連ヒューズにおいては、複数の溶断部及び複数の二次側端子部が、１つの一次側端子部と一体に形成されている。特許文献１又は特許文献２に示される多連ヒューズが採用されることにより、ヒューズを正極端子（棒状端子）に固定する工数が低減される。
【０００８】
また、特許文献１に示される多連ヒューズにおいては、全ての溶断部及び二次側端子部が、一次側端子部の幅方向において並ぶ状態で、一次側端子部から同一方向へ張り出して形成されている。
【先行技術文献】
【特許文献】
【０００９】
【特許文献１】特開２０００−１８２５０６号公報
【発明の概要】
【発明が解決しようとする課題】
【００１０】
しかしながら、複数のヒューズが、一連のバスバーにおける複数の部位に固定される場合、ヒューズの取り付けに要する工数が、ヒューズの数に比例して増大するという問題が生じる。
【００１１】
一方、特許文献１に示される多連ヒューズは、予め定められた数の溶断部及び二次側端子部を備えるため、接続対象となる電線の数ごとに異なる種類の多連ヒューズが必要となる。即ち、特許文献１に示される多連ヒューズは、部品の種類を少なくしつつ、接続対象となる電線の数の違いに適応することができないという問題点を有している。
【００１２】
本発明は、バッテリの正極端子などの１本の棒状端子と複数の電線各々との間にヒューズを接続することが必要である場合に、ヒューズの取り付けに要する工数を低減できるとともに、部品の種類を少なくしつつ電線の数の違いに適応することができることを目的とする。
【課題を解決するための手段】
【００１３】
第１発明に係るヒューズは、第一端子部と第二端子部と溶断部とコネクタとを有する。第一端子部は、起立した棒状端子が貫通する貫通孔が形成され、前記棒状端子に固定される板状の導体である。第二端子部は、電線と電気的に接続される導体である。溶断部は、前記第一端子部の外縁の一部から張り出した導体であり、両端が前記第一端子部及び第二端子部の各々に繋がった部分である。前記コネクタは、前記第二端子部及び前記溶断部を内包する絶縁体からなり、前記電線の端部に設けられた接続端子部と嵌め合い構造により接続される部材である。第１発明に係るヒューズにおいて、前記第一端子部は、基部と回転規制部とを有する。前記基部は、正多角形の輪郭を形成し、中央に前記貫通孔が形成された平板状の部分である。前記回転規制部は、前記基部の外縁から下方に張り出して形成され、複数の当該ヒューズ各々における前記第一端子部が前記基部の外縁が重なる状態で異なる向きで重ねられたときに、上下に隣接する２つの前記第一端子部どうしが前記貫通孔を中心に相対的に回転することを制限する部分である。さらに、第１発明に係るヒューズにおいて、前記第一端子部は、複数の前記第一端子部が前記基部の外縁が重なる状態で異なる向きで重ねられたときに、上下に隣接する２つの前記第一端子部どうしが面接触する形状で形成されている。
【００１４】
また、第２発明に係るヒューズは、第１発明に係るヒューズの一例である。第２発明に係るヒューズにおいて、前記第一端子部の前記回転規制部は、前記基部における前記複数の直線状の外縁各々に連なり、前記複数の直線状の外縁各々から斜め下方外側へ張り出した平板状の複数の傾斜壁部である。さらに、第２発明に係るヒューズにおいて、前記第一端子部は、前記基部の外縁が重なる状態で異なる向きで重ねられたときに、上下に隣接する２つの前記第一端子部における少なくとも複数の前記傾斜壁部どうしが面接触する形状で形成されている。
【００１５】
また、本発明は、第１発明又は第２発明に係るヒューズを備えたワイヤハーネスの発明として捉えられてもよい。即ち、本発明に係るワイヤハーネスは、端部に接続端子部が設けられた電線と、その電線の前記接続端子部と接続されたヒューズと、を備える。ここで、前記電線の前記接続端子部と接続された前記ヒューズは、第１発明又は第２発明に係るヒューズであり、前記電線は、前記ヒューズの前記第二端子部に接続されている。
【発明の効果】
【００１６】
第１発明に係るヒューズの第一端子部（一次側端子部）は、正多角形の輪郭を形成するとともに中央に前記貫通孔が形成された平板状の基部を有している。この場合、複数のヒューズの第一端子部が、それぞれの基部の外縁が重なる状態で異なる向きで重ねられると、基部各々の中央に形成された貫通孔は、それぞれの位置が一致して連通する。そして、第１発明において、複数のヒューズの第一端子部は、それぞれの基部の外縁が重なる状態で異なる向きで重ねられた上で、起立した棒状端子に対して一括して固定される。即ち、複数のヒューズにおける複数の第一端子部全体が、１つのナットを締めつける作業によって１本の棒状端子に固定される。
【００１７】
従って、第１発明によれば、バッテリの正極端子などの１本の棒状端子と複数の電線各々との間にヒューズを接続することが必要である場合に、ヒューズの固定に要する工数を低減することができる。
【００１８】
さらに、第１発明に係るヒューズは、溶断部及び第二端子部を内包するコネクタを備える。このコネクタにより、ヒューズの第二端子部と電線との接続作業の工数が軽減される。さらに、このコネクタは、溶断部及び第二端子部を保護する絶縁カバーとしての役割も果たす。
【００１９】
ところで、従来の複数のヒューズが、第一端子部（一次側端子部）の貫通孔の位置が一致する状態で重ねられた場合、複数の第二端子部（二次側端子部）各々に接続された複数の電線、及び各溶断部と各第二端子部とを電気的に絶縁する絶縁カバーが、上下方向において相互に干渉する。そうすると、多くのヒューズが重ねられた場合、上側に重ねられた第一端子部が斜めに傾き、複数の第一端子部相互間で接触不良が生じる。なお、本発明においては、コネクタが、従来のヒューズを備えたワイヤハーネスにおける絶縁カバーに相当する。
【００２０】
一方、第１発明に係るヒューズが採用された場合、複数の第一端子部が、それぞれの基部の外縁が重なる状態で異なる向きで重ねられる。そのため、複数のヒューズ各々の溶断部及びこれに連なる第二端子部、並びにそれらを内包するコネクタは、重ねられた複数の第一端子部々における異なる方向の外縁からそれぞれ重ならずに張り出した状態となる。そのため、複数の第二端子部各々に接続された複数の電線、及び各溶断部と各第二端子部とを電気的に絶縁する複数のコネクタは、相互に干渉しない。
【００２１】
従って、第１発明によれば、多くのヒューズが重ねられた場合でも、複数の第一端子部相互間で接触不良が生じることは回避される。
【００２２】
また、第１発明によれば、部品の種類を少なくしつつ電線の数の違いに適応することができる。即ち、第１発明によれば、１種類のヒューズが用意されるだけで、電線の数と同じ数のヒューズが重ねられることにより、電線の数の違いに適応することができる。
【００２３】
また、重ねられた複数の第一端子部が、起立した棒状端子に対してナットで固定される場合、重ねられた第一端子部が、ナットに対して連れ周りしやすい。第一端子部がナットに対して連れ周りすると、ヒューズの固定の作業性が悪化するとともに、溶断部及び第二端子部が誤った方向に向く状態でヒューズが固定されてしまう。
【００２４】
一方、第１発明によれば、第一端子部が回転規制部を備えているため、第一端子部がナットに対して連れ周りする不都合は回避される。
【００２５】
また、第２発明に係るヒューズにおいて、第一端子部は、１つの平板状の基部と基部における直線状の外縁に連なる複数の平板状の傾斜壁部とにより構成され、傾斜壁部が、回転規制部として機能する。このような形状の第一端子部は、構造が簡素であり、平坦な金属板の折り曲げ加工もしくは据え込み加工などの簡易な板金加工によって成形可能である。
【図面の簡単な説明】
【００２６】
【図１】本発明の第１実施形態に係るヒューズ１の斜視図である。
【図２】ヒューズ１の平面図である。
【図３】本発明の第１実施形態に係るワイヤハーネス２の平面図である。
【図４】ワイヤハーネス２の断面図である。
【図５】本発明の第２実施形態に係るヒューズ１Ｘにおける一次側端子部の断面図である。
【図６】本発明の第３実施形態に係るワイヤハーネス２Ｙの平面図である。
【図７】本発明の第４実施形態に係るヒューズ１Ｚの平面図及び正面図である。
【図８】本発明の第４実施形態に係るワイヤハーネス２Ｚの平面図である。
【発明を実施するための形態】
【００２７】
以下、添付の図面を参照しながら、本発明の実施形態について説明する。以下の実施形態は、本発明を具体化した一例であり、本発明の技術的範囲を限定する事例ではない。
【００２８】
＜第１実施形態＞
まず、図１から図４を参照しつつ、本発明の第１実施形態に係るヒューズ１及びそれを備えた本発明の第１実施形態に係るワイヤハーネス２の構成について説明する。なお、図４は、図３に示されるＡ−Ａ平面における断面図である。
【００２９】
＜ヒューズ＞
ヒューズ１は、一次側端子部１０、二次側端子部２０、溶断部３０及びヒューズ側コネクタ４０を備えている。一次側端子部１０、二次側端子部２０及び溶断部３０は、一連に連なった板状の導体からなり、例えば、銅などの金属の板材に錫メッキが施された導体からなる。一方、ヒューズ側コネクタ４０は、二次側端子部２０及び溶断部３０を内包する絶縁体からなるコネクタである。
【００３０】
図３及び図４に示されるように、一次側端子部１０は、バッテリの正極端子などの起立した棒状端子６に対してナット５により固定される板状の導体である。一次側端子部１０には、起立した棒状端子６が通される貫通孔１１ｈが形成されている。なお、棒状端子６は、ネジ溝が形成された棒状の端子である。一次側端子部１０は、ナット５で棒状端子６に固定されることにより、棒状端子６と電気的に接続される。なお、図３及び図４において、棒状端子６及びナット５は、仮想線（二点鎖線）により描かれている。
【００３１】
＜一次側端子部＞
ヒューズ１において、一次側端子部１０は、棒状端子６が通される貫通孔１１ｈが形成された平板状の基部１１と、基部１１の外縁に連なる複数の傾斜壁部１２とを有する。基部１１は、正多角形の輪郭を形成し、中央に棒状端子６が通される貫通孔１１ｈが形成された平板状の部分である。
【００３２】
本実施形態においては、基部１１は、輪郭が正方形の平板状に形成されているため、基部１１の周囲の四方各々において４つの直線状の外縁１１１が形成されている。
【００３３】
各図に示される座標軸において、Ｙ軸方向は、一次側端子部１０から溶断部３０及び二次側端子部２０が張り出した方向を示し、Ｘ軸方向は、Ｙ軸方向に直交し、基部１１の表裏各面に沿う方向である。また、Ｚ軸方向は、Ｘ軸方向及びＹ軸方向に直交する方向であり、基部１１の厚み方向である。
【００３４】
一方、傾斜壁部１２は、基部１１における複数の直線状の外縁１１１各々から斜め下方外側へ張り出した平板状の部分である。基部１１の下面側において、基部１１と複数の傾斜壁部１２各々とがなす角度θは鈍角である。平板状の傾斜壁部１２における下面及び上面は平行であるので、傾斜壁部１２の下面及び上面は、いずれも基部１１が沿う平面に対して（１８０°−θ°）の角度で斜め下方へ傾斜している。
【００３５】
本実施形態においては、４つの傾斜壁部１２が、基部１１における４つの直線状の外縁１１１各々に連なって形成されている。また、本実施形態においては、４つの傾斜壁部１２各々における両側方の直線状の外縁が、それぞれ隣接する他の傾斜壁部１２における側方の直線状の外縁と連なって形成されている。
【００３６】
従って、本実施形態における複数の傾斜壁部１２は、台形状に形成さている。また、一次側端子部１０における基部１１及び複数の傾斜壁部１２の部分の輪郭形状は、正多角錐がその頭頂部と底面との間の位置において底面に平行な平面で２分割された場合における底面側の部分の輪郭形状と同じ形状である。
【００３７】
なお、複数の傾斜壁部１２各々における両側方の外縁と、それぞれに隣接する他の傾斜壁部１２における側方の外縁との間に隙間が形成されていてもよい。但し、隣接する傾斜壁部１２相互の側方の外縁が連なっている構造の方が、隣接する傾斜壁部１２相互の側方の外縁の間に隙間が形成されている構造よりも、一次側端子部１０の強度が高まる点において好ましい。
【００３８】
一次側端子部１０の基部１１は、正多角形の輪郭を形成するとともに中央に貫通孔１１ｈが形成された平板状に形成されている。そのため、複数のヒューズ１の一次側端子部１０が、それぞれの基部１１の外縁が重なる状態で異なる向きで重ねられると、基部１１各々の中央に形成された貫通孔１１ｈは、それぞれの位置が一致して連通する。
【００３９】
そして、ヒューズ１は、同形状の他のヒューズ１と重ねられて使用される。より具体的には、複数のヒューズ１各々の一次側端子部１０は、それぞれの基部１１の外縁１１１が重なる状態で異なる向きで重ねられ、そのように重ねられた状態で棒状端子６に対して一括して固定される。
【００４０】
以下の説明において、複数のヒューズ１が、それぞれの一次側端子部１０における基部１１の外縁１１１が重なるようにしてそれぞれ異なる向きで重ねられた状態のことを積み重ね状態と称する。
【００４１】
本実施形態においては、基部１１が正方形の平板状であるため、基部１１における４つの直線状の外縁１１１は、基部１１の中心から見て９０°の整数倍の角度ずつ異なる方向に形成されている。従って、積み重ね状態において、複数の一次側端子部１０各々の基部１１は、それぞれ９０°の整数倍の角度ずつ異なる向きで重ねられる。
【００４２】
また、図４に示されるように、積み重ね状態において、上下に隣接する２つのヒューズ１各々における２つの一次側端子部１０どうしは面接触する。本実施形態においては、基部１１及び傾斜壁部１２の部分における下面と上面とが同じ形状で形成されている。そのため、積み重ね状態において、上下に隣接する２つのヒューズ１における基部１１どうしが面接触するとともに、傾斜壁部１２どうしも面接触する。これにより、上下に隣接する２つのヒューズ１における一次側端子部１０どうしが確実に短絡する。
【００４３】
また、積み重ね状態において、傾斜壁部１２は、上下に隣接する２つの一次側端子部１０どうしが貫通孔１１ｈを中心に相対的に回転することを制限する部分である。即ち、傾斜壁部１２は、上下に隣接する２つの一次側端子部１０どうしを導通させる短絡部であるとともに、上側の一次側端子部１０と下側の一次側端子部１０とが連れ周りすることを防止する回転規制部でもある。
【００４４】
また、本実施形態において、一次側端子部１０は、複数の傾斜壁部１２のうちの１つにおける下方の縁に連なるとともに溶断部３０にも連なる板状の中継部１３が形成されている。ヒューズ１において、一次側端子部１０の基部１１と溶断部３０とは、４つの傾斜壁部１２のうちの１つと中継部１３とを介して繋がっている。
【００４５】
＜二次側端子部＞
一方、二次側端子部２０は、電線９と電気的に接続される導体であり、溶断部３０の一方の端部と繋がっている。本実施形態においては、二次側端子部２０は、ヒューズ側コネクタ４０に内包された平板状の端子であり、電線９の端部に設けられた接続端子９２が、ヒューズ側コネクタ４０と接続されることにより、二次側端子部２０と電線９の導線９０とが電気的に接続される。
【００４６】
＜溶断部＞
溶断部３０は、一次側端子部１０の外縁の一部である中継部１３の外縁から張り出し、両端が一次側端子部１０の中継部１３及び二次側端子部２０に繋がった導体である。溶断部３０は、一次側端子部１０及び二次側端子部２０の各々よりも細く形成されており、溶断部３０の電気抵抗は、一次側端子部１０及び二次側端子部２０の各々の電気抵抗よりも高い。そして、予め定められた許容電流を超える電流が、一次側端子部１０から溶断部３０を経て二次側端子部２０へ流れると、溶断部３０が発熱して溶融し、一次側端子部１０から二次側端子部２０及びそれに接続された負荷への電流の供給が遮断される。
【００４７】
本実施形態においては、溶断部３０及びこれに連なる二次側端子部２０は、基部１１における複数の直線状の外縁１１１のうちの１つに直交する方向に沿って一次側端子部１０から外側へ張り出して形成されている。
【００４８】
＜ヒューズ側コネクタ＞
ヒューズ側コネクタ４０は、二次側端子部２０及び溶断部３０を内包する絶縁材料からなり、一次側端子部１０、二次側端子部２０及び溶断部３０の部分と一体に成形された部材である。ヒューズ側コネクタ４０は、電線９の端部に設けられた接続端子９２及びこれを内包する電線側コネクタ９１と嵌め合い構造により接続される。
【００４９】
ヒューズ側コネクタ４０は、例えば、ヒューズ１における二次側端子部２０及び溶断部３０の部分をインサート品として樹脂のインサート成形により、一次側端子部１０、二次側端子部２０及び溶断部３０の部分と一体に成形される。
【００５０】
ヒューズ側コネクタ４０には、二次側端子部２０の一部の周囲を取り囲む壁からなり、二次側端子部２０の周囲に電線側コネクタ９１が嵌め入れられる空間を形成する接続ポート部４１が形成されている。
【００５１】
さらに、ヒューズ側コネクタ４０には、少なくとも溶断部３０の一部を外部に露出させる窓４２が形成されている。溶断部３０が溶断したか否かの状況は、この窓４２を通じてヒューズ側コネクタ４０の外側から視認可能である。
【００５２】
＜ワイヤハーネス＞
続いて、図３及び図４を参照しつつ、ヒューズ１を含むワイヤハーネス２について説明する。なお、図３及び図４には、ヒューズ１の一次側端子部１０が棒状端子６に固定された状態における３つのワイヤハーネス２が示されている。
【００５３】
図３及び図４に示されるように、ワイヤハーネス２は、端部に接続端子９２及びそれを内包する電線側コネクタ９１が設けられた電線９と、ヒューズ１とを備えている。電線側コネクタ９１は、ヒューズ側コネクタ４０の接続ポート部４１に嵌め入れられてヒューズ側４０コネクタと接続されている。
【００５４】
電線９の接続端子９２は、例えば、電線９の導線９０に圧着された圧着端子である。また、電線側コネクタ９１は、接続端子９２を内包する絶縁体からなる部材である。図４に示されるように、接続端子９２を内包する電線側コネクタ９１が、ヒューズ側コネクタ４０の接続ポート部４１に嵌め入れられると、ヒューズ１の二次側端子部２０が、その中空部に電線９の接続端子９２を挟み込む。これにより、二次側端子部２０と接続端子９２とは、密接した状態で電気的に接続される。
【００５５】
なお、ヒューズ側コネクタ４０及び電線側コネクタ９１は、ヒューズ側コネクタ４０を、電線側コネクタ９１の接続ポート部４１に嵌め入れられた状態で保持する不図示のロック機構を備えている。
【００５６】
＜効果＞
図３及び図４に示されるように、複数のヒューズ１各々の一次側端子部１０が１つの棒状端子６に取り付けられる場合、複数のヒューズ１各々の一次側端子部１０は、それぞれの基部１１の外縁（複数の直線状の外縁１１１）が重なる状態で異なる向きで重ねられた上で、起立した棒状端子６に対して一括して固定される。即ち、複数のヒューズ１における複数の一次側端子部１０全体が、１つのナット５を締めつける作業によって１本の棒状端子６に固定される。
【００５７】
従って、ヒューズ１が採用されれば、バッテリの正極端子などの１本の棒状端子６と複数の電線９各々との間にヒューズを接続することが必要である場合に、ヒューズの取り付けに要する工数を低減することができる。
【００５８】
さらに、ヒューズ１がヒューズ側コネクタ４０を備えることにより、ヒューズ１の二次側端子部２０と電線９の接続端子９２との接続作業の工数が軽減される。さらに、ヒューズ側コネクタ４０は、溶断部３０及び二次側端子部２０を保護する絶縁カバーとしての役割も果たす。
【００５９】
ところで、従来の複数のヒューズが、一次側端子部の貫通孔の位置が一致する状態で重ねられた場合、複数の二次側端子部各々に接続された複数の電線９及びコネクタなどの絶縁部材が、上下方向において相互に干渉する。そうすると、多くのヒューズが重ねられた場合、上側に重ねられた一次側端子部が斜めに傾き、複数の一次側端子部相互間で接触不良が生じる。
【００６０】
一方、ヒューズ１が採用された場合、複数の一次側端子部１０が、それぞれの基部１１の外縁が重なる状態で異なる向きで重ねられる。そのため、複数のヒューズ１各々の溶断部３０及びこれに連なる二次側端子部２０は、図３に示されるように、重ねられた複数の一次側端子部１０各々における異なる方向の外縁からそれぞれ重ならずに張り出した状態となる。そのため、複数の二次側端子部２０各々に接続された複数の電線９、及び各溶断部３０と各二次側端子部２０とを電気的に絶縁するヒューズ側コネクタ４０は、相互に干渉しない。
【００６１】
従って、ヒューズ１がワイヤハーネス２に採用されることにより、多くのヒューズ１が重ねられた場合でも、複数の一次側端子部１０相互間で接触不良が生じることは回避される。
【００６２】
また、ヒューズ１が採用されることにより、部品の種類を少なくしつつ電線９の数の違いに適応することができる。即ち、１種類のヒューズ１が用意されるだけで、電線９の数と同じ数のヒューズ１が重ねられることにより、電線９の数の違いに適応することができる。
【００６３】
また、重ねられた複数の一次側端子部１０が、起立した棒状端子６に対してナット５で固定される場合、重ねられた一次側端子部１０が、ナット５に対して連れ周りしやすい。一次側端子部１０がナット５に対して連れ周りすると、ヒューズの固定の作業性が悪化するとともに、溶断部３０及び二次側端子部２０が誤った方向に向く状態でヒューズが固定されてしまう。
【００６４】
一方、ヒューズ１においては、一次側端子部１０が回転規制部として機能する傾斜壁部１２を備えているため、一次側端子部１０がナット５に対して連れ周りする不都合は回避される。
【００６５】
ヒューズ１において、一次側端子部１０は、１つの平板状の基部１１と基部１１における複数の直線状の外縁１１１に連なる複数の平板状の傾斜壁部１２とにより構成され、傾斜壁部１２が、回転規制部として機能する。このような形状の一次側端子部１０は、構造が簡素であり、平坦な金属板の折り曲げ加工もしくは据え込み加工などの簡易な板金加工によって成形可能である。
【００６６】
＜第２実施形態＞
次に、図６を参照しつつ、本発明の第２実施形態に係るヒューズ１Ｘについて説明する。図６は、重ねられた３つのヒューズ１Ｘの断面図である。なお、図示は省略されているが、本発明の第２実施形態に係るワイヤハーネスは、ワイヤハーネス２におけるヒューズ１がヒューズ１Ｘに置き換えられた構成を有している。
【００６７】
ヒューズ１Ｘは、図１から図３に示されたヒューズ１と比較して、一次側端子部の形状のみが若干異なる構成を有している。
【００６８】
図６において、図１から図３に示される構成要素と同じ構成要素は、同じ参照符号が付されている。以下、ヒューズ１Ｘにおけるヒューズ１と異なる点についてのみ説明する。
【００６９】
ヒューズ１Ｘは、ヒューズ１と比較して、一次側端子部１０の基部１１における上面の形状と下面の形状との関係が異なる。
【００７０】
より具体的には、図６に示されるように、ヒューズ１Ｘにおいても、積み重ね状態において、上下に隣接する２つのヒューズ１Ｘ各々の一次側端子部１０Ａどうしは面接触する。しかしながら、ヒューズ１Ｘにおいて、基部１１及び傾斜壁部１２の部分における下面と上面とは同じ形状ではない。そのため、積み重ね状態において、上下に隣接する２つのヒューズ１における傾斜壁部１２どうしは面接触するが、基部１１どうしは接触しない。
【００７１】
即ち、ヒューズ１Ｘにおいては、積み重ね状態において、上下に隣接する２つの一次側端子部１０どうしが、傾斜壁部１２の部分のみを通じて短絡する。傾斜壁部１２の部分において十分な接触面積が確保される場合、ヒューズ１Ｘが採用された場合でも、ヒューズ１が採用された場合と同様の作用及び効果が得られる。
【００７２】
＜第３実施形態＞
次に、図７を参照しつつ、本発明の第３実施形態に係るヒューズ１Ｙ及び本発明の第３実施形態に係るワイヤハーネス２Ｙについて説明する。ワイヤハーネス２Ｙは、ヒューズ１Ｙを備える。図７はヒューズ１Ｙの一次側端子部１０Ｂの部分が重ねられた５つのワイヤハーネス２Ｙの平面図である。
【００７３】
ヒューズ１Ｘは、図１から図３に示されたヒューズ１と比較して、一次側端子部の形状のみが異なる構成を有している。また、ワイヤハーネス２Ｙは、ワイヤハーネス２におけるヒューズ１がヒューズ１Ｙに置き換えられた構成を有している。
【００７４】
図７において、図１から図５に示される構成要素と同じ構成要素は、同じ参照符号が付されている。以下、ヒューズ１Ｙにおけるヒューズ１と異なる点についてのみ説明する。ヒューズ１Ｙは、ヒューズ１と比較して、一次側端子部１０がこれと形状の異なる一次側端子部１０Ｂに置き換えられた構成を有する。
【００７５】
より具体的には、ヒューズ１Ｙの一次側端子部１０Ｂは、正八角形の輪郭を形成し、中央に貫通孔１１ｈが形成された平板状の基部１１Ｂを有する。さらに、一次側端子部１０Ｂは、基部１１Ｂにおける８つの直線状の外縁１１１各々に連なり、８つの直線状の外縁１１１各々から斜め下方外側へ張り出した平板状の８つの傾斜壁部１２Ｂを有する。
【００７６】
ヒューズ１Ｙにおいて、一次側端子部１０Ｂの中継部１３は、８つの傾斜壁部１２Ｂのうちの１つの下方の縁に連なって形成されている。さらに、ヒューズ１Ｙにおいて、溶断部３０及びこれに連なる二次側端子部２０は、基部１１における８つの直線状の外縁１１１のうちの１つに直交する方向に沿って一次側端子部１０から外側へ張り出して形成されている。
【００７７】
図７に示されるように、複数のヒューズ１Ｙ各々の一次側端子部１０Ｂが１つの棒状端子６に取り付けられる場合、複数のヒューズ１Ｙ各々の一次側端子部１０Ｂは、それぞれの基部１１Ｂの外縁（８つの直線状の外縁１１１）が重なる状態で異なる向きで重ねられた上で、起立した棒状端子６に対して一括して固定される。
【００７８】
本実施形態においては、基部１１Ｂが正八角形の平板状であるため、基部１１Ｂにおける８つの直線状の外縁１１１は、基部１１の中心から見て４５°の整数倍の角度ずつ異なる方向に形成されている。従って、積み重ね状態において、複数の一次側端子部１０Ｂ各々の基部１１Ｂは、それぞれ４５°の整数倍の角度ずつ異なる向きで重ねられる。
【００７９】
ヒューズ１Ｙが採用された場合でも、ヒューズ１が採用された場合と同様の作用及び効果が得られる。特に、ヒューズ１Ｙが採用された場合、ヒューズ１，１Ｘが採用される場合よりも、より多くのヒューズを重ねて１つの棒状端子６に固定することが可能となる。その結果、複数のヒューズの固定に要する工数がより低減される。
【００８０】
＜第４実施形態＞
次に、図８及び図９を参照しつつ、本発明の第４実施形態に係るヒューズ１Ｚ及び本発明の第４実施形態に係るワイヤハーネス２Ｚについて説明する。図８（ａ）はヒューズ１Ｚの平面図であり、図８（ｂ）は、ヒューズ１Ｚの正面図である。また、図９は、ワイヤハーネス２Ｚの平面図である。
【００８１】
ワイヤハーネス２Ｚは、ヒューズ１Ｚを備える。ヒューズ１Ｚは、図１から図３に示されたヒューズ１と比較して、一次側端子部の形状のみが異なる構成を有している。また、ワイヤハーネス２Ｚは、ワイヤハーネス２におけるヒューズ１がヒューズ１Ｙに置き換えられた構成を有している。
【００８２】
図８及び図９において、図１から図５に示される構成要素と同じ構成要素は、同じ参照符号が付されている。以下、ヒューズ１Ｚにおけるヒューズ１と異なる点についてのみ説明する。
【００８３】
ヒューズ１Ｚは、ヒューズ１と比較して、一次側端子部１０の傾斜壁部１２が、突起部１２Ｃに置き換えられた構成を有する。
【００８４】
より具体的には、図８及び図９に示されるように、ヒューズ１Ｚの一次側端子部１０Ｃは、貫通孔１１ｈが形成された平板状の基部１１と、その基部１１における複数の直線状の外縁１１１各々から下方へ張り出した複数の突起部１２Ｃとを有する。
【００８５】
また、ヒューズ１Ｚにおいて、一次側端子部１０Ｃの中継部１３は、基部１１における複数の直線状の外縁１１１のうちの１つに連なって形成されている。さらに、ヒューズ１Ｚにおいて、溶断部３０及びこれに連なる二次側端子部２０は、基部１１における複数の直線状の外縁１１１のうちの１つに直交する方向に沿って一次側端子部１０から外側へ張り出して形成されている。
【００８６】
なお、図８及び図９に示される基部１１は、正方形の平板状であるが、ヒューズ１Ｚにおいて、正方形以外の正多角形の平板状の基部が採用されてもよい。例えば、ヒューズ１Ｚにおいて、ヒューズ１Ｙにおける正八角形状の基部１１Ｂが採用されてもよい。
【００８７】
複数の突起部１２Ｃ各々は、いずれも基部１１の厚みよりも短い長さで基部１１の外縁から下方へ突出して形成されている。さらに、複数の突起部１２Ｃ各々は、基部１１における複数の直線状の外縁１１１各々における異なる位置に形成されている。従って、複数のヒューズ１Ｚ各々の一次側端子部１０Ｃが重ねられた積み重ね状態において、複数のヒューズ１Ｚ相互間において突起部１２Ｃは干渉しない。
【００８８】
そして、複数のヒューズ１Ｚ各々の一次側端子部１０Ｃが重ねられた積み重ね状態において、上下に隣接する２つの一次側端子部１０Ｃにおける基部１１どうしが面接触する。即ち、ヒューズ１Ｚにおいて、基部１１は、上下に隣接する２つの一次側端子部１０Ｃどうしを導通させる短絡部の一例である。
【００８９】
また、一次側端子部１０Ｃが重ねられた積み重ね状態において、突起部１２Ｃ各々は、上下に隣接する２つの一次側端子部１０Ｃどうしが貫通孔１１ｈを中心に相対的に回転することを制限する。
【００９０】
即ち、複数の突起部１２Ｃは、積み重ね状態において、上側の一次側端子部１０Ｃと下側の一次側端子部１０Ｃとが連れ周りすることを防止する回転規制部の一例である。ヒューズ１Ｚが採用された場合でも、ヒューズ１，１Ｘ，１Ｙが採用された場合と同様の作用及び効果が得られる。
【００９１】
＜その他＞
ヒューズ１，１Ｘ，１Ｙ，１Ｚにおいて、一次側端子部１０の基部１１は、正方形又は正八角形以外の正多角形の輪郭を有する平板状であることも考えられる。
【００９２】
また、ヒューズ１，１Ｘ，１Ｙ，Ｚにおいて、中継部１３が省略されることも考えられる。この場合、溶断部３０は、基部１１，１１Ｂの外縁の一部又は傾斜壁部１２における下方の外縁と連なって形成される。
【００９３】
ヒューズ１，１Ｘ，１Ｙ，１Ｚにおいて、ヒューズ側コネクタ４０の接続ポート４１は、電線９の端部の接続端子９２が直接嵌め入れられるいわゆるキャビティであってもよい。この場合、ワイヤハーネス２，２Ｙ，２Ｚにおける電線側コネクタ９１は省略される。
【符号の説明】
【００９４】
１，１Ｘ，１Ｙ，１Ｚ  ヒューズ
２，２Ｙ，２Ｚ  ワイヤハーネス
５  ナット
６  棒状端子
７  ネジ
９  電線
１０，１０Ａ，１０Ｂ，１０Ｃ  一次側端子部
１１，１１Ｂ  基部
１１ｈ  貫通孔
１２，１２Ｂ  傾斜壁部
１２Ｃ  突起部
１３  中継部
２０  二次側端子部
３０  溶断部
４０  ヒューズ側コネクタ
４１  接続ポート部
４２  窓
９０  導線
９１  電線側コネクタ
９２  接続端子
１１１  基部の外縁
８１１  第一欠け部
８２２  第二欠け部
【図１】
2013089553.tif 000003
【図２】
2013089553.tif 000004
【図３】
2013089553.tif 000005
【図４】
2013089553.tif 000006
【図５】
2013089553.tif 000007
【図６】
2013089553.tif 000008
【図７】
2013089553.tif 000009
【図８】
2013089553.tif 000010